(57)【要約】【目的】未歩行の人に自発的に下肢の運動などをするように促すことができ、未歩行の人が予測できない行動を採って転倒してしまうことを防止することができ、室内の壁に室内用立位・移動補助具が当たってしまった場合などでも容易に方向を転換することができる、室内用立位・移動補助具を提供する。【構成】４つの脚と、この４つの脚に支持・固定されている円形テーブルであって、その中央には未歩行の人の胴体を挿入できる穴が開いており、その上に未歩行の人が手を置くことができるようになっている円形テーブルとを含む本体フレーム部と、前記円形テーブルの内周側又はその近傍の位置に、前記円形テーブルの内周側に対して３６０度回動自在に備えられている正円リングと、前記正円リングの下方に取り付けられ、未歩行の人の臀部を支持するための臀部支持ベルトであって、前記円形テーブルの中に入っている未歩行の人がその各足をそれぞれ挿入できる２つの穴が形成されている臀部支持ベルトとを含む内側サポート部とを備えたことを特徴としている。【選択図】　　図１
2004024291.tif 000002
【特許請求の範囲】
【請求項１】
未歩行の人が室内で使用する室内用立位・移動補助具であって、
４つの脚と、この４つの脚に支持・固定されている円形テーブルであって、その中央には未歩行の人の胴体を挿入できる穴が開けられており、その上に未歩行の人が手を置くことができるようになっている円形テーブルとを含む本体フレーム部と、
前記円形テーブルの内周側又はその近傍の位置に配置され、前記円形テーブルの内周側に対して３６０度回動自在に備えられている正円リングと、前記正円リングの下方に取り付けられ、未歩行の人の臀部を支持するための臀部支持ベルトであって、前記円形テーブルの穴の中に胴体を挿入している未歩行の人がその各足をそれぞれ挿入できる２つの穴が形成されている臀部支持ベルトとを含む内側サポート部と、
を備えたことを特徴とする室内用立位・移動補助具。
【請求項２】
請求項１において、さらに、前記４つの脚の各下端部には、それぞれ、キャスターと、前記各キャスターをロックするためのロック機構とが備えられていることを特徴とする室内用立位・移動補助具。
【請求項３】
請求項１又は２において、さらに、前記臀部支持ベルトは前記正円リングの４点から紐などの吊り下げ部材で吊るされている、ことを特徴とする室内用立位・移動補助具。
【請求項４】
請求項１，２又は３において、さらに、前記円形テーブルには、前記正円リングを３６０度回動させるためのレールが形成されている、ことを特徴とする室内用立位・移動補助具。
【発明の詳細な説明】
【０００１】
【発明の属する技術分野】
本発明は、未歩行の人（知的障害児（者）、身体障害児（者）、乳児など）が室内で使用するのに適した室内用立位・移動補助具に関する。
【０００２】
【従来の技術】
従来より、未歩行の人が通う療育センターなどの専門施設では、未歩行の人の立位・移動をサポートするための室内用立位・移動補助具が使用されている。この従来の室内用立位・移動補助具は、例えば、中央に未歩行の人の胴体が挿入可能な穴が形成された円形テーブルと、この円形テーブルを支持するキャスター付きの４つの脚などで構成されている。
【０００３】
未歩行の人は、このような室内用立位・移動補助具を使用するときは、前記４つの脚の存在により室内で転倒して怪我をすることが防止され、また、前記４つの脚に備えられたキャスターにより室内を自分で移動できるようになっている。
【０００４】
【発明が解決しようとする課題】
しかしながら、従来は、室内で、介助者が未歩行の人から一時的に目を離しているときは、未歩行の人だけを、前記室内用立位・移動補助具（キャスターをロックした状態。キャスターをロックしない状態では転倒などが生じやすい）を使用して所定の場所に立たせておくようにすることがあるが、その場合、未歩行の人はただ単にその場で立っているだけで、下肢の運動などができず、立位や移動に対する自発性を向上させることもできない、という問題があった。
【０００５】
また、従来は、未歩行の人だけが単独で室内用立位・移動補助具（前記キャスターをロックした状態。キャスターをロックしない状態では転倒などが生じやすい）により室内の所定の場所に立っている場合は、介助者が一時的に目を離している隙に、未歩行の人が退屈してその場で予測できない行動を採って転倒してしまう可能性がある、という問題があった。
【０００６】
さらに、従来は、未歩行の人が単独で室内用立位・移動補助具を使用して室内を移動する場合、未歩行の人が自分だけで方向転換することが難しいため、室内の壁に室内用立位・移動補助具が当たってしまうとその当たった状態のまま方向・位置を変更できなくなってしまう、という問題があった。
【０００７】
本発明はこのような従来技術の問題点に着目してなされたものであって、介助者が一時的に目を離している場合であって、未歩行の人（知的障害児（者）、身体障害児（者）、乳児など）を室内の特定の場所で立たせたままでいるときでも、未歩行の人に対して自発的に下肢の運動などをするように促すことができ、未歩行の人の立位や移動に対する自発性を向上させることができる、室内用立位・移動補助具を提供することを目的とする。
【０００８】
また、本発明は、未歩行の人が単独で室内用立位・移動補助具を使用して室内の特定の場所で立っている場合でも、未歩行の人が退屈することを防止し、未歩行の人が退屈さから予測できない行動を採って転倒してしまうことを防止することができる、室内用立位・移動補助具を提供することを目的とする。
【０００９】
さらに、本発明は、未歩行の人が単独で室内用立位・移動補助具を使用して室内を移動している途中に室内用立位・移動補助具が室内の壁に当たってしまったような場合でも、容易に方向を転換して室内での移動を継続することができる、室内用立位・移動補助具を提供することを目的とする。
【００１０】
【課題を解決するための手段】
このような従来技術の課題を解決するための本発明による室内用立位・移動補助具は、４つの脚と、この４つの脚に支持・固定されている円形テーブルであって、その中央には未歩行の人（知的障害児（者）、身体障害児（者）、乳児など）の胴体を挿入できる穴が開いており、その上に未歩行の人が手を置くことができるようになっている円形テーブルとを含む本体フレーム部と、前記円形テーブルの内周側又はその近傍の位置に備えられ、前記円形テーブルの内周側に対して３６０度回動自在に備えられている正円リングと、前記正円リングの下方に取り付けられ、未歩行の人の臀部を支持するための臀部支持ベルトであって、前記円形テーブルの穴の中に胴体を挿入している未歩行の人がその各足をそれぞれ挿入できる２つの穴が形成されている臀部支持ベルトとを含む内側サポート部と、を備えたことを特徴とするものである。
【００１１】
また、本発明の室内用立位・移動補助具においては、さらに、前記４つの各脚の各下端部に備えられたキャスターと、前記各キャスターをロックするためのロック機構とを備えることが望ましい。
【００１２】
また、本発明の室内用立位・移動補助具においては、前記臀部支持ベルトは前記正円リングの４点から紐などの吊り下げ部材で吊るされている、ことが望ましい。
【００１３】
さらに、本発明の室内用立位・移動補助具においては、前記円形テーブルには、前記正円リングを回動させるためのレールが備えられている、ことが望ましい。
【００１４】
【発明の実施の形態】
以下、本発明の一実施形態に係る未歩行の人用の室内用立位・移動補助具について説明する。図１は本実施形態１による室内用立位・移動補助具を示す斜視図、図２はその平面図である。
【００１５】
図１−２において、１は４つの脚、２は前記４つの脚１の下端部にそれぞれ備えられたキャスター、２ａは前記キャスター２のロック機構、３は前記４つの脚１の上端部に支持・固定されている円形テーブルである。前記円形テーブル３には、その中央部に、未歩行の人の胴体が挿入できる穴３ａが形成されている。
【００１６】
また、図１−２において、４は前記円形テーブル３の内周側（前記穴３ａの外周側）に配置された正円リングである。この正円リング４は、前記円形テーブル３に対して、前記円形テーブル３の内周（前記穴３ａの外周）と並行に３６０度回動自在に備えられている。すなわち、前記正円リング４の下面には突部（図示せず）が形成されており、この突部が前記円形テーブル３の内周側上面に形成されたレール溝（図示せず）の中を摺動することにより、前記正円リング４が前記円形テーブル３の内周側を３６０度自在に回動できるようになっている。
【００１７】
また、図１−２において、５は未歩行の人の臀部を支持するための臀部支持ベルトである。この臀部支持ベルト５は、前記正円リング４の下面の４点から紐（図示せず）などで吊り下げられている。また、前記臀部支持ベルト５には、未歩行の人の両足の各足をそれぞれ挿入できる２つの穴５ａ（図２参照）が形成されている。この前記臀部支持ベルト５は、未歩行の人の臀部を載せた状態で（且つ未歩行の人の各足をそれぞれ前記２つの穴５ａに挿入させた状態で）、前記脚１及び円形テーブル３から成る本体フレーム部と独立して、前記正円リング４と一緒に、未歩行の人の重心位置（前記臀部支持ベルト５に支持された未歩行の人の臀部）を中心に３６０度自在に回動できるようになっている。
【００１８】
次に本実施形態に係る室内用立位・移動補助具の動作・使用方法を図３を参照して説明する。未歩行の人が本実施形態を使用して室内で立位又は移動しようとするときは、図３に示すように、前記臀部支持ベルト５の２つの穴５ａにそれぞれ自らの足を挿入し、前記臀部支持ベルト５に自らの臀部を載置し、前記円形テーブル３の中央の穴３ａ（図１参照）の中に自らの胴体を挿入し、さらに、前記正円リング４及び円形テーブル３の上面に自らの腕及び手を載置した状態で、本実施形態を使用する。
【００１９】
このような状態で本実施形態を使用するときは、未歩行の人は、自らの臀部を前記臀部支持ベルト５に支持された状態のまま、自分だけで、室内で立位したり、移動したりすることができる。また、未歩行の人は、この状態で、独力で且つ自発的に、自分の身体を、前記臀部支持ベルト５及び前記正円リング４と一緒に、前記本体フレーム部（前記４つの脚１及び円形テーブル３）に対して３６０度自在に回動させることができる。
【００２０】
特に、本実施形態では、前述のように、前記正円リング４及び臀部支持ベルト５が本体フレーム部（４つの脚１及び円形テーブル３）に対して独立に３６０度回動自在に構成されているので、介助者が一時的に目を離しているときでも、本実施形態を使用して未歩行の人を室内の特定の場所で立たせておいたときは、未歩行の人は前記正円リング４及び臀部支持ベルト５の回転を利用して自発的に下肢の運動をするようになり、未歩行の人の立位や移動に対する自発性の向上、運動能力の発達に寄与することができるようになる。
【００２１】
また、本実施形態では、前述のように、前記正円リング４及び臀部支持ベルト５が本体フレーム部（４つの脚１及び円形テーブル３）に対して独立に３６０度回動自在に構成されているので、未歩行の人が単独で本実施形態を使用して室内の特定の場所で立っている場合（前記キャスター２をロックしている場合）でも、未歩行の人が退屈してしまうことを防止し、未歩行の人が退屈さから予測できない行動を採って転倒してしまうことを防止することができるようになる。
【００２２】
また、本実施形態では、前述のように、前記正円リング４及び臀部支持ベルト５が本体フレーム部（４つの脚１及び円形テーブル３）に対して独立に３６０度回動自在に構成されているので、未歩行の人が単独で本実施形態の室内用立位・移動補助具を使用して室内を移動している途中に本実施形態の室内用立位・移動補助具が室内の壁に当たってしまったような場合などでも、未歩行の人が自分の力だけで方向を転換して室内での移動を継続することができるようになる。
【００２３】
また、本実施形態によれば、前述のように、前記正円リング４及び臀部支持ベルト５が本体フレーム部（４つの脚１及び円形テーブル３）に対して独立に３６０度回動自在に構成されていることから、未歩行の人が本実施形態を使用して室内を移動するときは、前記キャスター２の回転と前記正円リング４の回転とにより室内用立位・移動補助具の全体の動きが複雑になるが、むしろ、このことにより、未歩行の人の移動に対する自発性の向上や運動能力の発達に一層寄与できるようになる。
【００２４】
さらに、本実施形態によれば、前述のように、前記正円リング４及び臀部支持ベルト５が本体フレーム部（４つの脚１及び円形テーブル３）に対して独立に３６０度回動自在に構成されていることから、未歩行の人が単独でも退屈しないで自発的に下肢の運動をしたり、室内を移動中に壁などに当たっても独力で向きを変えて移動を継続したりできるので、療育センターなどの専門施設だけでなく一般の家庭でも安心して使用できる室内用立位・移動補助具を実現できるようになる。
【００２５】
以上、本発明の一実施形態について説明したが、本発明はこれに限られるものではなく様々な変更が可能である。例えば、前記の実施形態では、前記正円リング４を前記円形テーブル３に対して回動自在に設置するために前記正円リング４の下面に突部を形成すると共に前記円形テーブル３の内周側の上面にレール溝を形成するように構成しているが、本発明はこれに限られるものではなく、例えば前記正円リング４の下面にレール溝を形成すると共に前記円形テーブル３の内周側の上面に前記レール溝に挿入される突部を形成するようにしてもよいことは勿論である。
【００２６】
【発明の効果】
以上に説明したように、本発明の室内用立位・移動補助具においては、前記正円リング及び臀部支持ベルトが前記４つの脚及び円形テーブルに対して独立に３６０度回動自在に構成されている。したがって、本発明によれば、介助者が一時的に目を離しているときでも、本発明の室内用立位・移動補助具を使用して未歩行の人（知的障害児（者）、身体障害児（者）、乳児など）を室内の特定の場所で立たせておいたときは、未歩行の人は前記正円リング及び臀部支持ベルトの３６０度の回動を利用して自発的に下肢の運動をするようになり、未歩行の人の立位や移動に対する自発性の向上、未歩行の人の運動能力の発達に寄与できるようになる。
【００２７】
また、本発明の室内用立位・移動補助具においては、前記正円リング及び臀部支持ベルトが前記４つの脚及び円形テーブルに対して独立に３６０度回動自在に構成されている。したがって、本発明によれば、未歩行の人が単独で本発明の室内用立位・移動補助具を使用して室内の特定の場所で立っている場合（前記キャスターをロックしている場合）でも、未歩行の人が退屈することを防止し、未歩行の人が退屈さから予測できない行動を採って転倒してしまうことを防止することができるようになる。
【００２８】
また、本発明の室内用立位・移動補助具においては、前記正円リング及び臀部支持ベルトが前記４つの脚及び円形テーブルに対して独立に３６０度回動自在に構成されている。したがって、本発明によれば、未歩行の人が単独で本発明の室内用立位・移動補助具を使用して室内を移動している途中に本発明の室内用立位・移動補助具が室内の壁に当たってしまったような場合でも、未歩行の人が自分の力だけで方向を転換して室内での移動を継続することができるようになる。
【００２９】
また、本発明によれば、前記正円リング及び臀部支持ベルトが前記４つの脚及び円形テーブルに対して独立に３６０度回動自在に構成されていることから、未歩行の人が本発明を使用して室内を移動するときは、前記キャスターの回転と前記正円リングの回転とにより室内用立位・移動補助具の全体の動きが複雑になるが、むしろ、このことにより、未歩行の人の移動に対する自発性の向上や運動能力の発達・増進に貢献できるようになる。
【００３０】
さらに、本発明によれば、介助者が一時的に目を離している場合でも、未歩行の人が、自発的に且つ独力で、室内での立位、立位状態での下肢の運動、室内での移動などを継続して安全に行なうことができるようになるので、療育センターなどの専門施設で使用するだけでなく、一般の家庭でも安心して使用できる室内用立位・移動補助具を実現することができるようになる。
【図面の簡単な説明】
【図１】本発明の実施形態による室内用立位・移動補助具を示す斜視図。
【図２】本実施形態の平面図。
【図３】本実施形態の使用方法を示す図。
【符号の説明】
１　脚
２　キャスター
３　円形テーブル
３ａ，５ａ　穴
４　正円リング
５　臀部支持ベルト
【図１】
2004024291.tif 000003
【図２】
2004024291.tif 000004
【図３】
2004024291.tif 000005